(57)【要約】【課題】本発明は、圧接コネクタ用ケーブルカバーに関し、従来の圧接コネクタ用ケーブルカバーにおいては、ケーブルの直径が太くなるとケーブル用の溝を形成する係止片が破壊されるおそれがあることが課題であって、それを解決することである。        【解決手段】圧接コネクタにケーブルを圧接するためのケーブルカバーであって、該ケーブルカバーの厚み方向に穿設される溝でその溝の開口部から底部に差込まれて前記厚み方向に直交する短手方向にケーブルを平行に架設させる凹溝を、当該厚み方向において向き合うように両側端面から穿設して隣接させ、厚み方向に直交する長手方向へ千鳥配置となるように設けた圧接コネクタ用ケーブルカバー１とする。【選択図】図１−Ａ
2012104323.tif 000002
【特許請求の範囲】
【請求項１】
圧接コネクタにケーブルを圧接するためのケーブルカバーであって、該ケーブルカバーの厚み方向に穿設される溝でその溝の開口部から底部に差込まれて前記厚み方向に直交する短手方向にケーブルを平行に架設させる凹溝を、当該厚み方向において向き合うように両側端面から穿設して隣接させ、厚み方向に直交する長手方向へ千鳥配置となるように設けたこと、
を特徴とする圧接コネクタ用ケーブルカバー。
【請求項２】
厚み方向における凹溝の底部の位置は、隣接する凹溝の底部の位置よりも当該隣接する凹溝の開口部側に入り込んだ位置にあること、
を特徴とする請求項１に記載の圧接コネクタ用ケーブルカバー。
【請求項３】
ケーブルカバーの厚み方向に直交する短手方向における両端部の凹溝を形成する両係止片の間には、前記係止片の間に架設されるケーブルによって長手方向に押し広げられる前記係止片を補強する補強部が設けられていること、
を特徴とする請求項１乃至２のいずれかに記載の圧接コネクタ用ケーブルカバー。
【請求項４】
ケーブルカバーの厚み方向に直交する短手方向における凹溝の両端部には、ケーブルの外皮の一部を前記凹溝から逃がす逃げ溝が設けられていること、
を特徴とする請求項１乃至２のいずれかに記載の圧接コネクタ用ケーブルカバー。
【発明の詳細な説明】
【技術分野】
【０００１】
本発明は、圧接コネクタにおいて、ケーブルを挟み込みコネクタ本体に圧接するためのケーブルカバーに関するものである。
【背景技術】
【０００２】
従来、圧接コネクタのケーブルカバー１１は、図６（Ａ）〜（Ｅ）に示すように、合成樹脂製の一方向に長い所要厚さの矩形体であって、その片側面にケーブル挟込み用の溝１２が短手方向に並設されている。この溝１２は、櫛刃状に植設される係止片１３によって形成され、その開口端部はケーブル導入用にテーパが形成されていて、溝１２にケーブルを入れやすくなっており、底部はケーブルに合わせて半円形状になっている。前記溝１２のピッチは図６（Ｃ）に示すように、一例としてｔ＝０．８ｍｍで、係止片１３は厚さｓ＝０．４ｍｍ程度である。
【０００３】
図６（Ｅ）に示すように、前記係止片１３は、短手方向において両端部に所要長さにして形成され、中間部は前記片側面の大部分を占める凹部１４となっている。この凹部１４には、圧接コネクタ１６（図８参照）のコンタクトにおけるケーブル用接触部１６ａの先端部が挿入する貫通孔１５が設けられている。このようなケーブルカバー１１に、図７（Ａ）に示すように、ケーブル１７（直径０．５８ｍｍ）を前記短手方向における両端部の溝１２，１２へ架設した状態となるようにして差し込む。図７（Ｂ）に示すように、ケーブル１７の余長部分はカットする。そして、治具等を使用して図７（Ｃ）に示すように、圧接コネクタ１６に前記ケーブルカバー１１を上下から挟むようにする。
【０００４】
次に、図８に示すように、ケーブルカバー１１を上下方向から圧接して、圧接コネクタ１６における千鳥配置にされたコンタクト１６ａにケーブル１７を差し込む。一対で向き合うコンタクト１６ａによって、前記ケーブル１７の外皮が破れてケーブル心線１７ａが前記コンタクト１６ａに挟持されて電気的に導通する。このような圧接コネクタのケーブルカバーが知られている（特許文献１参照）。
【先行技術文献】
【特許文献】
【０００５】
【特許文献１】特開平１０−１６２８７１号公報
【発明の概要】
【発明が解決しようとする課題】
【０００６】
しかし、従来の圧接コネクタ用ケーブルカバーにおいて、例えば、図７（Ｄ）に示すように、ケーブル１７ｂが太く（直径０．７３ｍｍ）なると、挿入するケーブルカバー１１の溝１２を幅広くしなければならない。そこで、溝１２ａのピッチを０．８ｍｍのままにして、溝１２ａの幅を０．４ｍｍ→０．５３ｍｍにすると、係止片１３ａの幅が０．４ｍｍ→０．２７ｍｍとなって細くなる。ケーブル１７ｂを前記溝１２ａに差し込むと、細くなった係止片１３ａの強度不足により変形して破壊されてしまうおそれがある。本発明に係る圧接コネクタ用ケーブルカバーは、このような課題を解決するために提案されたものである。
【課題を解決するための手段】
【０００７】
本発明に係る圧接コネクタ用ケーブルカバーの上記課題を解決して目的を達成するための要旨は、圧接コネクタにケーブルを圧接するためのケーブルカバーであって、該ケーブルカバーの厚み方向に穿設される溝でその溝の開口部から底部に差込まれて前記厚み方向に直交する短手方向にケーブルを平行に架設させる凹溝を、当該厚み方向において向き合うように両側端面から穿設して隣接させ、厚み方向に直交する長手方向へ千鳥配置となるように設けたことである。
また、前記厚み方向における凹溝の底部の位置は、隣接する凹溝の底部の位置よりも当該隣接する凹溝の開口部側に入り込んだ位置にあることを含み、
更に、ケーブルカバーの厚み方向に直交する短手方向における両端部の凹溝を形成する両係止片の間には、前記係止片の間に架設されるケーブルによって長手方向に押し広げられる前記係止片を補強する補強部が設けられていることを含み、
また、前記ケーブルカバーの厚み方向に直交する短手方向における凹溝の両端部には、ケーブルの外皮の一部を前記凹溝から逃がす逃げ溝が設けられていること、を含むものである。
【発明の効果】
【０００８】
本発明の圧接コネクタ用ケーブルカバーによれば、前記凹溝が厚み方向において両側から千鳥配置で向き合うように穿設されているので、溝のピッチを従来と同様にして、しかも溝幅を広げても、凹溝を形成する係止片の部材強度が確保されるようになり、係止片が破壊されるようなおそれが解消される。ケーブルを前記凹溝に差し込むときに、凹溝が全体で長手方向に撓むようになって、ケーブルのアッセンブリが容易となる。更に、短手方向における両端部に形成された凹溝部の中間に補強部が設けられたので、長手方向に押し広げられる係止片の補強となる。
更に、逃げ溝があることで、ケーブルの潰れによる影響が緩和されることになる。
【図面の簡単な説明】
【０００９】
【図１−Ａ】本発明に係る圧接コネクタ用ケーブルカバー１の全体斜視図（Ａ），底面図（Ｂ）である。
【図１−Ｂ】同本発明に係る圧接コネクタ用ケーブルカバー１の正面図（Ａ），平面図（Ｂ）である。
【図１−Ｃ】同本発明に係る圧接コネクタ用ケーブルカバー１の側面図（Ａ），Ａ−Ａ線断面図（Ｂ），Ｂ−Ｂ線断面図（Ｃ）である。
【図２−Ａ】同本発明の第２実施例に係る圧接コネクタ用ケーブルカバー１ａの全体斜視図（Ａ），正面図（Ｂ）である。
【図２−Ｂ】同ケーブルカバー１ａの平面図（Ａ），底面図（Ｂ），側面図（Ｃ），Ｃ−Ｃ線断面図（Ｄ）である。
【図３】同本発明の圧接コネクタ用ケーブルカバー１の凹溝２にケーブル１７ｂを差し込む様子を示す説明図である。
【図４】同本発明の圧接コネクタ用ケーブルカバー１を、圧接コネクタ４のケーブル圧接接合部に圧入する状態を示す説明図である。
【図５】ケーブルカバー１を装着した状態の圧接コネクタ４の前方から見た斜視図（Ａ）と、同後方から見た状態の斜視図（Ｂ）とである。
【図６】従来例に係るケーブルカバー１１の斜視図（Ａ），平面図（Ｂ），正面図（Ｃ），側面図（Ｄ），底面図（Ｅ）である。
【図７】ケーブルカバー１１の溝１２にケーブル１７を装着する様子を示す説明図（Ａ），ケーブル１７の余長部分をカットする説明図（Ｂ），ケーブルカバー１１を圧接コネクタ１６に圧接する様子を説明する説明図（Ｃ），直径の太いケーブル１７ｂをケーブルカバー１１ａに装着する様子を示す説明図（Ｄ）である。
【図８】圧接コネクタ１６のコンタクト１６ａに、ケーブルカバー１１を圧接して導通を図る様子を説明する説明図である。
【発明を実施するための形態】
【００１０】
本発明に係る圧接コネクタ用ケーブルカバー１は、図１に示すように、当該ケーブルカバー１の厚み方向においてその両側端面から穿設し、凹溝２を従来と同じピッチで形成するものである。
【実施例１】
【００１１】
本発明の第１実施例に係るケーブルカバー１は、図１−Ａ乃至図１−Ｃに示すように、圧接コネクタ４（図５参照）にケーブル１７ａ，１７ｂ（図７参照）を圧接するためのケーブルカバー１であって、該ケーブルカバー１の厚み方向ａに穿設される溝でその溝の開口部２ａから底部２ｂに差込まれて前記厚み方向ａに直交する短手方向ｂに前記ケーブル１７ａ，１７ｂを平行に架設させる凹溝２を、当該厚み方向ａにおいて向き合うように両側端面３ｂ，３ｂから穿設して隣接させ、厚み方向ａに直交する長手方向ｃへ千鳥配置となるように設けたものである。
【００１２】
また、前記厚み方向ａにおける凹溝２の底部２ｂの位置は、隣接する凹溝２の底部２ｂの位置よりも当該隣接する凹溝２の開口部２ａ側に入り込んだ位置にある。これは、ケーブルカバー１の厚み方向ａの厚さ寸法を従来と同程度の厚さ寸法に納めるためである。
【００１３】
図１−Ｂ（Ｂ）及び図１−Ｃ（Ｃ）に示すように、前記ケーブルカバー１の厚み方向ａに直交する短手方向ｂにおける両端部の凹溝を形成する両係止片３，３の間には、前記係止片３，３の間に架設されるケーブル１７ａ．１７ｂによって長手方向に押し広げられる前記係止片３を補強する補強部３ａが設けられている。
【００１４】
図１−Ａ（Ａ）に示すように、ケーブルカバー１の長手方向の両端部中央のロック片３ｃは、圧接コネクタ４にケーブル１７ａ，１７ｂを圧接させた後に、このケーブルカバー１を圧接コネクタ側の係止片で固定するためのものである。
【００１５】
このようにしてなるケーブルカバー１を使用すれば、図３に示すように、ケーブルカバー１の厚み方向ａにおいて、便宜的に上下方向とすると、最初は、上側の凹溝２に、ケーブル１７ｂ（太いケーブル、直径０．７３ｍｍ）を治具などで差し込んでアッセンブリを行う。ケーブル１７ｂが、従来のケーブル１７よりも直径が太くなっているので、ケーブルカバー１の係止片３が長手方向に押し広げられる。前記凹溝２が千鳥配置にされていて、係止片３の側壁がその上下で連結部を形成していて強度が確保されている。
【００１６】
また、厚み方向における凹溝２の底部２ｂの位置は、隣接する凹溝の底部の位置よりも当該隣接する凹溝の開口部側に入り込んだ位置にある。よって、ケーブル１７ｂの心線１７ｃの上下位置は、横方向に同じ位置にあるのではなく、上下にずれているので、長手方向の押圧力がケーブルの外皮を潰して吸収される。こうして、従来の係止片１３のように林立していて細くなり破壊される、ということは無い。
【００１７】
更に、前記補強部３ａが設けられいるので、ケーブルカバー１の短手方向ｂの中央部において、長手方向ｃに伸ばそうとする力に抵抗して、ケーブルカバー１の長手方向ｃの変形を抑制する。次に、前記ケーブルカバー１を上下ひっくり返して、下段の凹溝２にケーブル１７ｂを差し込む。
【００１８】
そして、図４に示すように、圧接コネクタ４の後部の圧接部において、千鳥配置に配設されていて金属製であって対になっているコンタクト４ａに上下方向から圧接する。このコンタクト４ａによって前記ケーブル１７ｂの外皮（合成樹脂製）が破れて心線１７ｃが前記コンタクト４ａに挟持され導通が図られる。図５（Ａ），（Ｂ）は、使用状態であり、ケーブル１７ｂは省略してある。このように、ケーブルカバー１は、従来と同じ圧接ピッチでありながら、太いケーブル１７ｂに対応することができる。
【実施例２】
【００１９】
第２実施例に係るケーブルカバー１ａは、ケーブルカバー１ａの厚み方向ａに直交する短手方向ｂにおける凹溝２の両端部には、ケーブル１７ｂの外皮の一部を前記凹溝２から逃がす逃げ溝２ｃが設けられているものである。このような、逃げ溝２ｃがあることで、ケーブル１７ｂの外皮が潰されて変形するときに、その一部がこの逃げ溝２ｃに入り込み、変形しやすくなり、ケーブル差込アッセンブリの作業がスムーズになるものである。
【産業上の利用可能性】
【００２０】
本発明に係るケーブルカバーは、コンタクトにケーブルを圧接させる電気コネクタに適用できるものである。
【符号の説明】
【００２１】
１          ケーブルカバー、                  １ａ        ケーブルカバー、
２          凹溝、                            ２ａ        開口部、
２ｂ        底部、                            ２ｃ          
３          係止片、                          ３ａ        補強部、
３ｂ        端面、                            ３ｃ        ロック片、
４          圧接コネクタ、                    ４ａ        コンタクト、
１１        ケーブルカバー、
１２        溝、                              １２ａ      溝、
１３        係止片、                          １３ａ      係止片、
１６        圧接コネクタ、                    １６ａ      コンタクト、
１７        ケーブル、                        １７ａ      ケーブル心線、
１７ｂ      太いケーブル。
【図１−Ａ】
2012104323.tif 000003
【図１−Ｂ】
2012104323.tif 000004
【図１−Ｃ】
2012104323.tif 000005
【図２−Ａ】
2012104323.tif 000006
【図２−Ｂ】
2012104323.tif 000007
【図３】
2012104323.tif 000008
【図４】
2012104323.tif 000009
【図５】
2012104323.tif 000010
【図６】
2012104323.tif 000011
【図７】
2012104323.tif 000012
【図８】
2012104323.tif 000013